(57)【要約】【課題】  歩行補助用のウォーキングステッキにおいて、グリップの形状を工夫して使用者の身体を安定して支えることができるウォーキングステッキを提供する。【解決手段】  長尺のシャフト２と、このシャフト２の上端部にＴ字状に取り付けられるグリップ３と、により構成されるウォーキングステッキ１において、グリップ３を、両端３ａ，３ｂが高くなるように反った形状で、かつ、上面側３ｃが下面側３ｄよりも幅広となる形状に形成する。さらにこの構成においてグリップ３は、その全長を約３：７〜４：６の比率で分ける位置においてシャフト２に取り付けられ、腕からの加重をシャフト２の軸芯上に安定して掛けられる構造とする。【選択図】  図２
2007020942.tif 000002
【特許請求の範囲】
【請求項１】
長尺のシャフトと、このシャフトの上端部にＴ字状に取り付けられるグリップと、により構成されるウォーキングステッキにおいて、
上記グリップは、両端が高くなるように反った形状で、かつ、上面側が下面側よりも幅広となる形状に形成されていることを特徴とするウォーキングステッキ。
【請求項２】
上記グリップは、その全長を約３：７〜４：６の比率で分ける位置において上記シャフトに取り付けられ、腕からの加重を上記シャフトの軸芯上に安定して掛けられることを特徴とする請求項１に記載のウォーキングステッキ。
【発明の詳細な説明】
【技術分野】
【０００１】
本発明は歩行補助用のウォーキングステッキに関し、特に使用者の身体を安定して支えることができるウォーキングステッキに係るものである。
【背景技術】
【０００２】
一般に歩行補助用のウォーキングステッキは、例えば下記の特許文献１に開示されるもののように、シャフトと、このシャフトの上端部に取り付けられるグリップと、により構成されている。ここでシャフトは７５〜９０ｃｍの長尺の軽金属製パイプで構成され、このシャフトの上端部にグリップがＴ字状に取り付けられており、使用者はこのグリップを手で握り、シャフトの先端で地面を突きながら歩行するものである。
このようなウォーキングステッキは、トレッキング用に広く普及されているが、近年では老人や障害者のための介護用ステッキとしても広く用いられてきている。
【特許文献１】特開２００５−１２４９８２号公報
【発明の開示】
【発明が解決しようとする課題】
【０００３】
このような介護用ステッキでは、使用者の身体を安定して支えられることが重要であるが、従来のウォーキングステッキは、特に安定性を考慮した形状とはなっていないのが現状である。
【０００４】
本発明は斯かる点に鑑みてなされたもので、グリップの形状を工夫して使用者の身体を安定して支えることができるウォーキングステッキを提供することを目的とする。
【課題を解決するための手段】
【０００５】
上記の目的を達成するため本発明は、
長尺のシャフトと、このシャフトの上端部にＴ字状に取り付けられるグリップと、により構成されるウォーキングステッキにおいて、
グリップを、両端が高くなるように反った形状で、かつ、上面側が下面側よりも幅広となる形状に形成したものである。
さらにこのウォーキングステッキにおいてグリップは、その全長を約３：７〜４：６の比率で分ける位置においてシャフトに取り付けられる構造とする。
【発明の効果】
【０００６】
上記の如く構成される本発明のウォーキングステッキでは、グリップは、両端が高くなるように反った形状で、かつ、上面側が下面側よりも幅広となる形状に形成されているため、このグリップを手で握ったときにはグリップに対し掌が良好にフィットするので握り易く、しかも掌を上面側の広い面積で受けることができるので、使用者の身体全体を安定して支えることができ、また長時間使用しても手が痛くなることはない。
【０００７】
さらにグリップは、その全長を約３：７〜４：６の比率で分ける位置においてシャフトに取り付けられる構造のため、２通りの握り方をすることができ、どちらの握り方の場合も腕からの加重をシャフトの軸芯上に安定して掛けられるので、確実に使用者の身体を支えることができる。
【発明を実施するための最良の形態】
【０００８】
以下、図面を参照しながら本発明の実施例について詳細に説明する。
図１は本発明によるウォーキングステッキの全体構成を示す側面図、図２はこのウォーキングステッキの主要部の拡大図、図３は図２のＡ−Ａ線における断面図、図４はグリップの握り方の説明図である。
【０００９】
図１に示す如く、本発明によるウォーキングステッキ１は、シャフト２と、このシャフト２の上端部に取り付けられるグリップ３と、により構成されている。ここでシャフト２は７５〜９０ｃｍの長尺の軽金属(アルミニウム等)製パイプで構成され、このシャフト２の上端部にグリップ３がＴ字状に取り付けられており、使用者はこのグリップ３を手で握り、シャフト２の先端で地面を突きながら歩行するものである。
【００１０】
この構成においてシャフト２は複数段で構成されて伸縮調整可能となっており、またシャフト２の先端(下端)にはゴム等によりなる滑り止め部材４が取り付けられている。またグリップ３は木材あるいは合成樹脂によりなり、使用者の握り易さを考慮した曲面形状に形成されている。
【００１１】
さらにこのウォーキングステッキ１では、シャフト２の上端部、即ちシャフト２におけるグリップ３の直下の部分に細径部２ａが設けられている。この細径部２ａは、グリップ３を手で握ったときに指と指の間を通る部分であり、この部分を細径に形成したことで、グリップ３を違和感なく握ることができるものである。
【００１２】
そして特にこのウォーキングステッキ１においては、グリップ３の形状に特徴を持たせてあり、即ちここでグリップ３は、図２に示す如く両端３ａ，３ｂが高くなるように反った鞍形の形状に形成され、かつ、図３に示すように上面側３ｃが下面側３ｄよりも幅広となる形状に形成されている。
【００１３】
さらにこのグリップ３は図２に示す如く、その全長をａ：ｂの比率で分ける位置においてシャフト２に取り付けられる構造となっている。上記比率ａ：ｂは、約３：７〜４：６とするのが適当である。
【００１４】
このように構成される本例のウォーキングステッキ１では、グリップ３は、両端３ａ，３ｂが高くなるように反った形状で、かつ、上面側３ｃが下面側３ｄよりも幅広となる形状に形成されているため、このグリップ３を手で握ったときにはグリップ３に対し掌が良好にフィットするので握り易く、しかも掌を上面側３ｃの広い面積で受けることができるので、使用者の身体全体を安定して支えることができ、また長時間使用しても手が痛くなることはない。
【００１５】
さらにグリップ３は、その全長を約３：７〜４：６の比率で分ける位置においてシャフト２に取り付けられる構造であるため、図４に示すような２通りの握り方をすることができる。即ち、図４(Ａ)はグリップ３を通常の向きで握った状態を示し、この場合は人差指と中指の間にシャフト２の細径部２ａを通した状態でグリップ３を握るようにしており、一方、図４(Ｂ)はグリップ３を逆向きにして握った状態を示し、この場合は薬指と小指の間にシャフト２の細径部２ａを通した状態でグリップ３を握るようにしている。そして、どちらの握り方の場合も、腕からの加重Ｆをシャフト２の軸芯上に安定して掛けられるので、確実に使用者の身体を支えることができるものである。
【図面の簡単な説明】
【００１６】
【図１】本発明によるウォーキングステッキの全体構成を示す側面図である。
【図２】本発明によるウォーキングステッキの主要部の拡大図である。
【図３】図２のＡ−Ａ線における断面図である。
【図４】本発明によるウォーキングステッキのグリップの握り方の説明図である。
【符号の説明】
【００１７】
１…ウォーキングステッキ
２…シャフト
３…グリップ
３ａ、３ｂ…両端
３ｃ…上面側
３ｄ…下面側
【図１】
2007020942.tif 000003
【図２】
2007020942.tif 000004
【図３】
2007020942.tif 000005
【図４】
2007020942.tif 000006